(57)【要約】【課題】各部位におけるねじれ等によって発生する各種のずれを、光学特性の悪化を最小限にとどめて、比較的簡単な作業にて調整することができる光書込装置を提供する。【解決手段】偏心カム４４と固定受け部４５を配置し、偏心カム４４を回転することにより、調整側の光学素子保持部材３２を主走査方向に直交する平面で回転（β方向）することができるようにする。偏心カム４４を回転することにより、固定受け部４５の位置を副走査方向（Ｙ方向）に変位させることによって回転中心を変位させ、光学素子保持部材３２にて保持される光学部品のずれ，ねじれ等による光学的ずれを調整する。【選択図】図７
2009023102.tif 000002
【特許請求の範囲】
【請求項１】
光ビームを光学素子により像担持体に照射させ、前記光ビームの光走査により前記像担持体に静電潜像を書き込む構成の光書込装置において、
前記光学素子を、主走査方向に対向して支持筐体に設置された一対の光学素子保持部材にて保持し、前記光学素子保持部材を前記支持筺体よりも線膨張係数が小さい材料にて形成し、かつ前記光学素子保持部材の少なくとも一方を主走査方向に直交する平面内で変位させる変位部材を備えたことを特徴とする光書込装置。
【請求項２】
前記変位部材により前記光学素子保持部材を副走査方向に変位させることを特徴とする請求項１記載の光書込装置。
【請求項３】
前記変位部材により前記光学素子保持部材を副走査方向に対して垂直な方向に変位させることを特徴とする請求項１記載の光書込装置。
【請求項４】
前記変位部材により前記光学素子保持部材を主走査方向に直交する平面において回転する方向に変位させることを特徴とする請求項１記載の光書込装置。
【請求項５】
前記変位部材により前記光学素子保持部材を、請求項２〜４いずれか１項に記載の変位方向の少なくとも２つの方向に変位可能にしたことを特徴とする請求項１記載の光書込装置。
【請求項６】
前記変位部材を前記支持筺体と一体的に設けたことを特徴とする請求項１〜５いずれか１項記載の光書込装置。
【請求項７】
前記変位部材により変位させない前記光学素子保持部材は、前記支持筺体に位置決めして設けたことを特徴とする請求項１記載の光書込装置。
【請求項８】
前記一対の光学素子保持部材の両外側部まで延在する軸体にて前記変位部材を構成したことを特徴とする請求項１〜６いずれか１項記載の光書込装置。
【請求項９】
前記一対の光学素子保持部材を、架橋部材を有する一体構造としたことを特徴とする請求項１〜８いずれか１項記載の光書込装置。
【請求項１０】
前記光学素子保持部材により、主走査方向に前記光学素子の長手方向を保持したことを特徴とする請求項１〜９いずれか１項記載の光書込装置。
【請求項１１】
主走査方向に長手方向が保持される前記光学素子は、折返しミラーあるいは走査レンズであることを特徴とする請求項１０記載の光書込装置。
【請求項１２】
前記光学素子保持部材の少なくとも一方に、光ビームにおける走査線傾きを調整するために、主走査方向に長手方向が保持される前記光学素子を調整する光学素子調整部材を設けたことを特徴とする請求項１０または１１記載の光書込装置。
【請求項１３】
前記光学素子調整部材を、前記変位部材によって主走査方向に直交する平面内で変位される前記光学素子保持部材の側部に設けたことを特徴とする請求項１または１２記載の光書込装置。
【請求項１４】
光ビームを光学素子により像担持体に入射させ、前記光ビームの光走査により前記像担持体に静電潜像を書き込む構成の光書込部と、前記像担持体の静電潜像を顕像化して記録媒体に転写することにより画像形成する画像形成部とを備えた画像形成装置において、
前記光書込部として、請求項１〜１３いずれか１項記載の光書込装置を搭載したことを特徴とする画像形成装置。
【発明の詳細な説明】
【技術分野】
【０００１】
本発明は、光ビームにより像担持体に対して光学的に書き込みを行うための光書込装置および光書込装置を備えた画像形成装置に関するものである。
【背景技術】
【０００２】
従来、複数の潜像担持体上に、それぞれ異なる色の画像（可視像）を形成し、これらの画像を互いに重ね合わせてカラー画像を形成する、いわゆるタンデム型のカラー画像形成装置が知られている。この画像形成装置は、各潜像担持体上に画像情報に応じた光ビームを照射して、光ビームの走査により潜像担持体上に潜像を形成し、この潜像を顕像化して画像を得る構成の光書込装置を搭載している。
【０００３】
光ビームを照射し走査する構成の光書込装置は、一般に、光源からの光ビームを偏向走査する主走査線偏向手段たるポリゴンミラーと、このポリゴンミラーによって偏向走査された光ビームを光照射対象である潜像担持体表面に結像するための複数のレンズなど、所定の位置に導くためのミラーなどを備えている（これらのレンズやミラーを光学素子と総称する）。このような光走査装置では、次のようなことが原因となり、各光学素子間の位置および角度が微妙に変化する。
【０００４】
すなわち、光学素子の像面湾曲特性や位置精度、ポリゴンモータの発熱などによる光書込装置を構成する各種構成部材の熱変形、画像形成装置の重量バランスや環境変動などによる画像形成装置のねじれ，光書込装置のねじれ、あるいは潜像担持体の取付時のねじれなどである。このため、各光学素子間の位置および角度の変化が生じ、潜像担持体への光ビームの走査位置が変化する。
【０００５】
また、光ビームによる潜像担持体表面上の走査線に曲がりや傾きが発生する。その結果、各潜像担持体間における光ビームの走査位置、走査線曲がりや傾きの相対的なずれが色ずれとなって現れる。なかでも、走査線傾きの相対的なずれは、偏向走査後のレンズやミラーの位置や姿勢が大きく影響するため、一般的に、カラー画像形成装置では各色画像形成のステーションごとに設けられた、特定された１つの光学素子（レンズあるいはミラー）の位置や姿勢を補正する必要がある。一方では、走査線の相対的なずれを抑えるために、多数の光学素子を保持する光学ハウジングを高精度に形成する必要があり、複雑化する光学ハウジング成形の管理および維持には課題を抱えている。
【０００６】
このため特許文献１には、光学素子の全てが配置されるハウジングではなく、打ち抜き板金に一部の光学素子を保持する構成、すなわち、一対の保持部材により光学素子を保持する２部材にした構成の光書込装置が提案されている。具体的構成例として、光ビームを射出し、これを偏向走査し、第一の結像レンズを透過する光学素子までを第一の保持部材（複雑化するため樹脂製ハウジングを用いる場合が多い）により保持し、その後、像担持体に導くためのミラーや第二の結像レンズなどの主走査方向に長手が延在する光学素子を、主走査方向に対向する第二の保持部材（複雑化する樹脂ハウジングの形状に比べ、高精度を維持しかつ管理が可能な打ち抜き板金）により保持する構成である。
【０００７】
特許文献２〜５もほぼ同様の構成であって、実現すべき機能に最適な材料を用いて性能を向上することが可能となり、さらに、特許文献４に記載されているように、二部材の熱膨張収縮による影響を除去したり、特許文献６に記載されているように、第一の保持部材を板金で形成し、高剛性化を実現している構成のものがある。
【０００８】
しかしながら、保持部材を二部材化したことによる誤差の積み上がりや、相対的なずれに関する課題が残ってしまい、特許文献３に代表されるように、ミラーの姿勢を調整する方法が提案されているが、対向する保持部材のずれまでも個々のステーションごとに特定された１つの光学素子（ミラーあるいはレンズ）により補正しなければならないため、大きな補正が必要となり、その大きく補正するための空間を必要とし、また、調整によっては像担持体の到達した光特性、例えばビームスポット径が大きく悪化してしまう。
【０００９】
特許文献７に記載された光書込装置では、自体の所望のねじれ補正を達成することが可能であるが、光書込装置の構成によっては、逆に不必要なねじれを発生させてしまう可能性がある。
【特許文献１】特開２００５−１４８１２８号公報
【特許文献２】特開２００６−９１３４５号公報
【特許文献３】特開２００６−１７９４７号公報
【特許文献４】特開２００６−１７１６４９号公報
【特許文献５】特開２００６−２２７５３０号公報
【特許文献６】特開２００２−３１１３６９号公報
【特許文献７】特開２００６−１５０８３６号公報
【発明の開示】
【発明が解決しようとする課題】
【００１０】
上述したように、従来の技術において、特許文献６に記載された構成では部品構成による複雑化、特許文献７に記載された構成ではねじれ、特許文献１〜５に記載された構成では、保持部材を二部材化したことによる誤差の積み上がりや対向する保持部材のずれを、個々のステーションごとに特定された１つの光学素子（ミラーあるいはレンズ）で補正しなければならならず、大きな補正が必要となり、その大きく補正するための空間を必要とするなどの課題がある。
【００１１】
本発明の目的は、従来の課題を解決することにあり、各部位におけるねじれ等によって発生する各種のずれを、光学特性の悪化を最小限にとどめて、比較的簡単な作業にて調整することができる光書込装置、および、その光書込装置を備えた画像形成装置を提供することにある。
【課題を解決するための手段】
【００１２】
上記目的を達成するため、請求項１に記載の発明は、光ビームを光学素子により像担持体に照射させ、前記光ビームの光走査により前記像担持体に静電潜像を書き込む構成の光書込装置において、前記光学素子を、主走査方向に対向して支持筐体に設置された一対の光学素子保持部材にて保持し、前記光学素子保持部材を前記支持筺体よりも線膨張係数が小さい材料にて形成し、かつ前記光学素子保持部材の少なくとも一方を主走査方向に直交する平面内で変位させる変位部材を備えたことを特徴とし、この構成によって、各部位におけるねじれなどにより発生する光学素子保持部材に取り付けられた光学素子のずれに対して、光学素子保持部材による調整が可能になる。
【００１３】
請求項２に記載の発明は、請求項１記載の光書込装置において、変位部材により光学素子保持部材を副走査方向に変位させることを特徴とし、この構成によって、副走査方向に発生した光学素子のずれに対し、副走査方向に限定し、他の方向は固定したままで光学素子保持部材による調整が可能になる。
【００１４】
請求項３に記載の発明は、請求項１記載の光書込装置において、変位部材により光学素子保持部材を副走査方向に対して垂直な方向に変位させることを特徴とし、この構成によって、垂直方向に発生した光学素子のずれに対し、垂直方向に限定し、他の方向は固定したままで光学素子保持部材による調整が可能になる。
【００１５】
請求項４に記載の発明は、請求項１記載の光書込装置において、変位部材により光学素子保持部材を主走査方向に直交する平面において回転する方向に変位させることを特徴とし、この構成によって、回転する方向に発生した光学素子のずれに対し、回転する方向に限定し、他の方向は固定したままで光学素子保持部材による調整が可能になる。
【００１６】
請求項５に記載の発明は、請求項１記載の光書込装置において、変位部材により光学素子保持部材を、請求項２〜４いずれか１項に記載の変位方向の少なくとも２つの方向に変位可能にしたことを特徴とし、この構成によって、２つ以上の方向に発生した光学素子のずれに対し、一度に光学素子保持部材による調整が可能になる。
【００１７】
請求項６に記載の発明は、請求項１〜５いずれか１項記載の光書込装置において、変位部材を支持筺体と一体的に設けたことを特徴とし、この構成によって、光学素子保持部材と変位部材とが支持筺体に設置されるため、変位部材による光学素子保持部材に対する調整のデフォルト値の管理がし易い。
【００１８】
請求項７に記載の発明は、請求項１記載の光書込装置において、変位部材により変位させない光学素子保持部材は、支持筺体に位置決めして設けたことを特徴とし、この構成によって、変位しない側の光学素子保持部材の位置が支持筐体に位置決めされて保持されるため、光学素子が精度よく保持されることになる。
【００１９】
請求項８に記載の発明は、請求項１〜６いずれか１項記載の光書込装置において、一対の光学素子保持部材の両外側部まで延在する軸体にて変位部材を構成したことを特徴とし、この構成によって、変位部材が簡単に構成され、例えば、軸体を測定することにより、対向する一対の光学素子保持部材の相対的なずれ量を予測することが可能になる。
【００２０】
請求項９に記載の発明は、請求項１〜８いずれか１項記載の光書込装置において、一対の光学素子保持部材を、架橋部材を有する一体構造としたことを特徴とし、この構成によって、光学素子保持部材のユニット化ができ、組立などの作業性がよくなる。
【００２１】
請求項１０に記載の発明は、請求項１〜９いずれか１項記載の光書込装置において、光学素子保持部材により、主走査方向に光学素子の長手方向を保持したことを特徴とし、この構成によって、光学素子保持部材に取り付けられた光学素子のずれによって発生する走査線傾きに対し、光学素子保持部材による調整が可能になる。
【００２２】
請求項１１に記載の発明は、請求項１０記載の光書込装置において、主走査方向に長手方向が保持される光学素子は、折返しミラーあるいは走査レンズであることを特徴とする。
【００２３】
請求項１２に記載の発明は、請求項１０または１１記載の光書込装置において、光学素子保持部材の少なくとも一方に、光ビームにおける走査線傾きを調整するために、主走査方向に長手方向が保持される光学素子を調整する光学素子調整部材を設けたことを特徴とし、この構成によって、光学素子調整部材による走査線傾き調整ができるため、光学素子保持部材に取り付けられた光学素子のずれによって発生する走査線傾きに対し、より精度のよい調整が可能になる。
【００２４】
請求項１３に記載の発明は、請求項１または１２記載の光書込装置において、光学素子調整部材を、変位部材によって主走査方向に直交する平面内で変位される光学素子保持部材の側部に設けたことを特徴とし、この構成によって、同じ側から２つの調整を実施することができ、調整作業のアクセス性がよい。
【００２５】
請求項１４に記載の発明は、光ビームを光学素子により像担持体に入射させ、前記光ビームの光走査により前記像担持体に静電潜像を書き込む構成の光書込部と、前記像担持体の静電潜像を顕像化して記録媒体に転写することにより画像形成する画像形成部とを備えた画像形成装置において、前記光書込部として、請求項１〜１３いずれか１項記載の光書込装置を搭載したことを特徴とし、本発明に係る光書込装置を搭載したことにより、光ビームによる像担持体に対する走査線傾きが抑制され、高品質の画像形成が実現する。
【発明の効果】
【００２６】
本発明に係る光書込装置によれば、光学素子を保持する光学素子保持部材を主走査方向に直交する平面内で変位させる変位部材を備えたことによって、各部位におけるねじれなどにより発生する光学素子保持部材に取り付けられた光学素子のずれに対して、光学素子保持部材による調整が可能になり、光ビームによる像担持体に対する走査線傾きの発生をなくすようにすることができ、書き込みの精度が向上する。
【００２７】
また、本発明に係る光書込装置を搭載した画像形成装置によれば、精度よい書き込みによる高品質の画像形成が可能になる。
【発明を実施するための最良の形態】
【００２８】
以下、本発明の実施の形態を図面に基づいて説明する。
【００２９】
図１は本発明に係る光書込装置が搭載される画像形成装置の実施形態の全体構成図である。
【００３０】
本画像形成装置は、像担持体としての複数（本例では４つを示す）のドラム状の感光体１Ｙ，１Ｃ，１Ｍ，１Ｋをタンデム配列したフルカラー画像形成装置の例であり、これら感光体１Ｙ，１Ｃ，１Ｍ，１Ｋは、各色の画像形成部（各色画像形成ステーション）２Ｙ，２Ｃ，２Ｍ，２Ｋの一部として構成されている。これら画像形成部２Ｙ，２Ｃ，２Ｍ，２Ｋは、順にイエロー，シアン，マゼンタ，ブラックの各色に対応した画像形成を行う。
【００３１】
本画像形成装置では、３つの支持ローラ３に支持されて回転する中間転写ベルト４が設けられ、この中間転写ベルト４の下側に沿って、矢印で示す該中間転写ベルト４の下側における移動方向に順に、上流側から画像形成部２Ｙ，２Ｃ，２Ｍ，２Ｋが間隔をおいて配設されている。
【００３２】
フルカラー画像の形成に際しては、各画像形成部２Ｙ，２Ｃ，２Ｍ，２Ｋに設けられた感光体１Ｙ，１Ｃ，１Ｍ，１Ｋに、後述するように各色のトナー画像が形成される。次に、これら各色のトナー画像は、中間転写ベルト４を介して各感光体１Ｙ，１Ｃ，１Ｍ，１Ｋに対向して配置されている一次転写ローラ５により中間転写ベルト４の移動と共に、該中間転写ベルト４上に順次重ね転写される。
【００３３】
４色が重ね転写されたトナー像は、記録媒体である記録材Ｐに対して、図１において右側の支持ローラ３と二次転写ローラ６とのニップ部で一括転写される。転写後、記録材Ｐは定着装置７を通って定着処理を受けた後、排紙ローラ８により排紙トレイ９上に排出される。
【００３４】
中間転写ベルト４は、黒画像の１色形成モードに適合させるために、感光体１Ｋについては一次転写ローラ５に常時接触する構成であり、他の感光体１Ｙ，１Ｃ，１Ｍについては、可動のテンションローラにより中間転写ベルト４が接離する構成になっている。なお、中間転写ベルト４上の残トナーを除去するためのクリーニング装置１０が、図１では左側の支持ローラ３部分に中間転写ベルト４に対向設置されている。
【００３５】
図１において、各画像形成部２Ｙ，２Ｃ，２Ｍ，２Ｋは、それぞれトナーの色が異なるだけであって、機械的な構成および作像プロセスは共通であるため、感光体以外の各構成部材は同一の符号を付すことにより、以下の説明において、一つの画像形成部２Ｙについての構成および作像のプロセスを説明する。
【００３６】
画像形成装置２Ｙの感光体１Ｙの周囲には、図中、時計回りの回転方向に順に、感光体１Ｙを帯電する帯電ローラ１１、書込光である光ビームＬの感光体１Ｙに対する照射位置、トナー現像部１２、一次転写ローラ５、クリーニング装置１３などが配置されている。
【００３７】
光ビームＬは光書込装置１４から出射され、光書込装置１４には、光源としての半導体レーザ、カップリングレンズ、ｆθレンズ、トロイダルレンズ、ミラー、回転多面鏡などを装備しており、各感光体に向けて各色用の光ビームＬを出射し、感光体１Ｙ上の書込位置に光ビームＬを照射して後述するように静電潜像を形成する。
【００３８】
画像形成部２Ｙの現像部１２には、イエローのトナーが収納されており、感光体１Ｙの表面に形成されている潜像をイエロー画像で顕像化する。他の作像装置についても、それぞれの色（Ｃ，Ｍ，Ｋ）の現像剤が収納されており、その収納されているトナーの色で潜像を顕像化する。
【００３９】
画像形成に際して感光体１Ｙは、回転して帯電ローラ１１により一様に帯電され、書込位置でイエロー画像の情報を含む光ビームＬの照射を受けて静電潜像が形成され、この潜像がトナー現像部１２を通過する間にイエロートナーにより顕像化される。
【００４０】
感光体１Ｙ上の顕像化したイエロートナー像は、一次転写ローラ５により中間転写ベルト４に転写される。中間転写ベルト４上のイエロートナー画像に対しては、次の画像形成部２Ｃでシアントナー画像、画像形成部２Ｍでマゼンタトナー画像、画像形成部２Ｂでブラックトナー画像とが順次重ね転写され、これによりフルトナー画像が形成される。
【００４１】
そして、前記フルトナー画像が二次転写ローラ６に達するのと同じタイミングで、記録材Ｐが二次転写ローラ６に搬送されるように、記録材Ｐが、給紙部１５から給紙ローラ１６にて給紙され、レジストローラ１７によってタイミングがとられて搬送される。そしてフルトナー画像は、支持ローラ３と二次転写ローラ６とのニップ部で記録材Ｐに一括転写される。
【００４２】
一方、転写後の感光体１Ｙはクリーニング装置１３により残留トナーが除去された後、除電ランプにより除電されて次の画像形成に備えられる。同様に、中間転写ベルト４についても、残留トナーなどがクリーニング装置１０により除去される。
【００４３】
本画像形成装置では、各感光体上のトナー画像を、一旦、中間転写ベルト４上に重ね転写して、この重ねトナー画像を記録材Ｐに一括転写する構成になっているが、かかる中間転写ベルト４に代えて記録紙搬送ベルトを設け、この記録紙搬送ベルトにより記録材Ｐを載せて搬送し、この搬送の過程で、各感光体から、順次、カラートナー像を記録材上に重ね転写することにより、フルカラー画像を合成する構成のカラー画像形成装置も適用可能である。
【００４４】
次に、本実施形態における光書込装置について説明する。
【００４５】
図２は本実施形態における光書込装置の概略構成を示す断面図、図３は図２の光書込装置の平面図である。
【００４６】
本実施形態の光書込装置１４は、タンデム方式の画像形成に対応した書込光学系であり、走査レンズ方式を採用しているが、走査レンズおよび走査ミラー方式のいずれにも対応可能である。
【００４７】
光書込装置１４は、ポリゴンスキャナ２０、各種の反射ミラー、各種のレンズなどの光学素子を備えている。ポリゴンスキャナ２０は、光書込装置１４内部の略中央に配置され、図示しないポリゴンモータのモータ回転軸に固定された上段ポリゴンミラーと下段ポリゴンミラーとを有し、その周囲を防音ガラス２１によって囲まれている。
【００４８】
図２に示すように、画像形成部２Ｙ，２Ｃ，２Ｍ，２Ｋに対応してポリゴンスキャナ２０の図中右側には、Ｍ用の光学系とＫ用の光学系とが配設されている。ポリゴンスキャナ２０の図中左側には、Ｙ用の光学系とＣ用の光学系とが配設されている。Ｃ用とＹ用の光学系は、ポリゴンモータの回転軸を中心にしてＭ用とＫ用の光学系と対称関係となるように配置されている。
【００４９】
また、図３に示すように、各感光体１Ｋ，１Ｍ，１Ｃ，１Ｙにそれぞれ対応して、光ビームＬを射出する半導体レーザとコリメートレンズとを有する光源ユニット２２を備えている。下段ポリゴンミラーに入射する下側の光ビームＬは、途中の折返しミラー２３でポリゴンスキャナ２０に向かうように偏向され、一方、上側の光ビームＬは直進して上段ポリゴンミラーに入射し、それぞれミラー反射面近傍に線状に集光する。
【００５０】
結像レンズ（シリンダレンズ）２４が、光源ユニット２１からポリゴンスキャナ２０までの光ビームＬの光路上にそれぞれ配設され、また走査レンズ（ｆθレンズ）２５と折返しミラー２６とが、ポリゴンスキャナ２０から各感光体１Ｋ，１Ｍ，１Ｃ，１Ｙまでの光路上にそれぞれ配置されている。
【００５１】
上下段の２本の光ビームＬは、それぞれ対応する走査レンズ２５を通過した後、折返しミラー２７で、同期光学素子２８を透過してビーム検知手段２９に導かれ、走査開始の同期信号を出力する。
【００５２】
本実施形態の光書込装置１４では、前記各光学素子を保持する保持部材は二部材からなっており、図３で示す光学素子（光源ユニット２２，結像レンズ２４，走査レンズ２５，ポリゴンスキャナ２０）は支持筐体３１に保持され、残りの長尺物の折返しミラー２６（走査レンズ２５を含んでもよい）は、図４に示すように、光学素子保持部材３２で保持されている。
【００５３】
図２に示すように、上面が開口する支持筐体３１は、光学素子を防塵するため、開口部分を閉止する蓋カバー３３を備えている。支持筐体３１と蓋カバー３３は樹脂製であり、安価で軽量な構造になっている。蓋カバー３３には、光ビームＬが通過する４つの開口が形成されており、これらの開口には光ビームＬの透過を許容し、かつ塵埃の侵入を規制するための防塵ガラス３４が設置される。
【００５４】
さらに、図３に示すように、支持筐体３１の側面には、支持筐体３１を図１に示す画像形成装置の本体ケース１８におけるフレーム（図示せず）に連結するための連結部１９が形成され、この連結部１９を本体ケース１８のフレームに形成された凹部に嵌合させることにより、光書込装置１４が本体ケース１８に連結される。なお、連結部１９は、本体ケース１８の形状，構造などによって、支持筐体３１の四方の各辺それぞれに形成するようにしてもよい。
【００５５】
光学素子保持部材３２は、図４に示すように、略平行に対向設置される一対の金属製の部材であって、折返しミラー２６を差し込み取り付けるための孔部３５、および支持筺体３１に対する位置決め部３６が形成されている。
【００５６】
図５（ａ）に示す説明図のように、一対の光学素子保持部材３２における一方に、走査線傾き調整用の折返しミラー２６が主走査方向に直交する平面内で変位可能であるように変位部材としての一点支持部３２ａが設けられ、光学素子保持部材３２の他方には折返しミラー２６が変位しないように二点支持部３２ｂが設けられている。変位部材として、図５（ｂ）に示す説明図のように、偏心カム３７を設置するようにしてもよい。また、前記変位部材は両光学素子保持部材３２に設けるようにしてもよい。
【００５７】
また、図４に示すように、対向する光学素子保持部材３２間を架橋部材３８にて連結する枠体構造としてユニット化すれば、取扱性が向上し、かつ組立性を向上させることができる。
【００５８】
次に、本実施形態において光学素子保持部材の少なくとも一方を主走査方向（Ｘ方向）に直交する方向（Ｙ，Ｚ方向）の平面内で変位させる構成について具体的に説明する。
【００５９】
図６に示す説明図のように、両光学素子保持部材３２は支持筐体３１内に収容され、固定側の光学素子保持部材３２（図６の左側）は、ネジなどの締結部材４０により連結固定されている。一方、調整側の光学素子保持部材３２（図６の右側）は、締結部材４０に弾性部材４１を介して変位可能に保持されている。
【００６０】
そして、各種の光学素子を保持した光学素子保持部材３２が支持筐体３１内に収容されることにより、光学素子保持部材３２に保持された各種の光学素子が支持筐体３１により防塵状態で保持される。なお、支持筐体３１には変位部材である一点支持部３２ａあるいは偏心カム３７を外部からアクセスするための通孔４２を設けるとよい。
【００６１】
図７〜図１０を参照して本光書込装置における変位部材の実施例、すなわち、対向する光学素子保持部材３２の姿勢を相対的に変位する構成について説明する。
【００６２】
図７（ａ）では、偏心カム４４と固定受け部４５を配置し、偏心カム４４を回転することにより、調整側の光学素子保持部材３２を主走査方向に直交する平面で回転（β方向）することができる。これにより、固定受け部４５の位置を副走査方向（Ｙ方向）に変位させることによって、回転中心を容易に変位させることができる。
【００６３】
図８（ａ）では、調整側の光学素子保持部材３２の下辺に同形状の偏心カム４４を２個配置し、両偏心カム４４を同時に回転することによって、光学素子保持部材３２を垂直方向（ｚ方向）に変位することができる。また、偏心カム４４の一方のみを回転すれば、光学素子保持部材３２を主走査方向に直交する平面で回転（β方向）することもできる。
【００６４】
図９（ａ）では、偏心カム４４を調整側の光学素子保持部材３２における副走査方向の側面に配置しており、偏心カム４４を回転することによって、光学素子保持部材３２を副走査方向（Ｙ方向）に変位することができるようにしている。
【００６５】
なお、図７（ｂ），図８（ｂ），図９（ｂ）に光学素子保持部材３２の姿勢を変更（変位）した際、光ビームＬがシフト（シフト後の光ビームＬ’）する状態を示している。光ビームＬのシフト量は簡単な幾何計算により容易に計算することができるため、これにより感光体１に到達する走査線の傾き量を求めることができる。
【００６６】
また、図１０に示すように、主走査方向に対向して構成する一対の光学素子保持部材３２の両側間に延在し、両外側部に突出する軸体４６，４７を配設し、一方の軸体４６にカラー４８と偏心カム４９を配置し、軸体４６を回転することで、光学素子保持部材３２を主走査方向に直交する平面で回転（β方向）することができる。
【００６７】
なお、軸体４６，４７は鉄系の部材であり、電磁変化などを検知する手段などを設置することにより、対向する光学素子保持部材３２のねじれ量を把握することができる。
【００６８】
また、ミラーを調整するための構造（カム機構）と、光学素子保持部材３２を調整するための構造（カム機構）とを、光学素子保持部材３２における同じ側に設置することによって、光書込装置１４において同じ方向から調整作業を行うことができる。
【産業上の利用可能性】
【００６９】
本発明は、光書込装置における各部位におけるねじれ等によって発生する各種のずれを調整することができ、光走査装置を搭載する各種の画像形成装置に適用される。
【図面の簡単な説明】
【００７０】
【図１】本発明に係る光書込装置が搭載される画像形成装置の実施形態の全体構成図
【図２】本実施形態における光書込装置の概略構成を示す断面図
【図３】図２に示す本実施形態における光書込装置の平面図
【図４】本実施形態における光学素子保持部材の全体斜視図
【図５】（ａ），（ｂ）は本実施形態における光学素子保持部材と変位部材の説明図
【図６】本実施形態における光学素子保持部材と支持筐体との関連構成を示す説明図
【図７】（ａ）は本実施形態における光学素子保持部材の姿勢を変位する変位部材の実施例を説明するための斜視図、（ｂ）は光学素子保持部材を変位した際の光ビームのシフトに関する説明図
【図８】（ａ）は本実施形態における光学素子保持部材の姿勢を変位する変位部材の実施例を説明するための斜視図、（ｂ）は光学素子保持部材を変位した際の光ビームのシフトに関する説明図
【図９】（ａ）は本実施形態における光学素子保持部材の姿勢を変位する変位部材の実施例を説明するための斜視図、（ｂ）は光学素子保持部材を変位した際の光ビームのシフトに関する説明図
【図１０】本実施形態における光学素子保持部材の姿勢を変位する変位部材の実施例を説明するための斜視図
【符号の説明】
【００７１】
１Ｙ，１Ｃ，１Ｍ，１Ｋ  感光体
２Ｙ，２Ｃ，２Ｍ，２Ｋ  画像形成部
１４  光書込装置
２０  ポリゴンスキャナ
２５  走査レンズ
２６  折返しミラー
３１  支持筺体
３２  光学素子保持部材
３２ａ  一点支持部
３２ｂ  二点支持部
３７  偏心カム
４０  締結部材
４１  弾性部材
４２  通孔
４４  偏心カム
４５  固定受け部
４６，４７  軸体
４８  カラー
４９  偏心カム
【図１】
2009023102.tif 000003
【図２】
2009023102.tif 000004
【図３】
2009023102.tif 000005
【図４】
2009023102.tif 000006
【図５】
2009023102.tif 000007
【図６】
2009023102.tif 000008
【図７】
2009023102.tif 000009
【図８】
2009023102.tif 000010
【図９】
2009023102.tif 000011
【図１０】
2009023102.tif 000012
【手続補正書】
【提出日】平成20年6月30日(2008.6.30)
【手続補正１】
【補正対象書類名】特許請求の範囲
【補正対象項目名】請求項５
【補正方法】変更
【補正の内容】
【請求項５】
前記変位部材により前記光学素子保持部材を、請求項２〜４に記載の方向の少なくとも２つの方向に変位させることを特徴とする請求項１記載の光書込装置。
【手続補正２】
【補正対象書類名】明細書
【補正対象項目名】００１６
【補正方法】変更
【補正の内容】
【００１６】
請求項５に記載の発明は、請求項１記載の光書込装置において、変位部材により光学素子保持部材を、請求項２〜４に記載の方向の少なくとも２つの方向に変位させることを特徴とし、この構成によって、２つ以上の方向に発生した光学素子のずれに対し、一度に光学素子保持部材による調整が可能になる。
【手続補正３】
【補正対象書類名】明細書
【補正対象項目名】００５５
【補正方法】変更
【補正の内容】
【００５５】
光学素子保持部材３２は、図４に示すように、略平行に対向設置される一対の金属製の部材であって、前記樹脂製の支持筺体３１よりも線膨張係数が小さい材料にて形成され、折返しミラー２６を差し込み取り付けるための孔部３５、および支持筺体３１に対する位置決め部３６が形成されている。
【手続補正４】
【補正対象書類名】明細書
【補正対象項目名】００５６
【補正方法】変更
【補正の内容】
【００５６】
図５（ａ）に示す説明図のように、一対の光学素子保持部材３２における一方に、走査線傾き調整用の折返しミラー２６が主走査方向に直交する平面内で変位可能であるように光学素子調整部材としての一点支持部３２ａが設けられ、光学素子保持部材３２の他方には折返しミラー２６が変位しないように二点支持部３２ｂが設けられている。光学素子調整部材として、図５（ｂ）に示す説明図のように、偏心カム３７を設置するようにしてもよい。また、前記光学素子調整部材は両光学素子保持部材３２に設けるようにしてもよい。
【手続補正５】
【補正対象書類名】明細書
【補正対象項目名】００７０
【補正方法】変更
【補正の内容】
【００７０】
【図１】本発明に係る光書込装置が搭載される画像形成装置の実施形態の全体構成図
【図２】本実施形態における光書込装置の概略構成を示す断面図
【図３】図２に示す本実施形態における光書込装置の平面図
【図４】本実施形態における光学素子保持部材の全体斜視図
【図５】（ａ），（ｂ）は本実施形態における光学素子保持部材と光学素子調整部材の説明図
【図６】本実施形態における光学素子保持部材と支持筐体との関連構成を示す説明図
【図７】（ａ）は本実施形態における光学素子保持部材の姿勢を変位する変位部材の実施例を説明するための斜視図、（ｂ）は光学素子保持部材を変位した際の光ビームのシフトに関する説明図
【図８】（ａ）は本実施形態における光学素子保持部材の姿勢を変位する変位部材の実施例を説明するための斜視図、（ｂ）は光学素子保持部材を変位した際の光ビームのシフトに関する説明図
【図９】（ａ）は本実施形態における光学素子保持部材の姿勢を変位する変位部材の実施例を説明するための斜視図、（ｂ）は光学素子保持部材を変位した際の光ビームのシフトに関する説明図
【図１０】本実施形態における光学素子保持部材の姿勢を変位する変位部材の実施例を説明するための斜視図